(57)【要約】【課題】  集中集合玄関機或いは集中制御機が呼出先の端末が所属する棟の番号や部屋の番号を記憶することなく呼び出しができる集合住宅インターホンシステムを提供する。【解決手段】  訪問者が任意の棟の居住者を呼び出すための集中集合玄関機１と、呼び出しに居住者が応答するために個々の住戸に設置された住戸親機３と、集中集合玄関機１と住戸親機３との間の通信を制御する集中制御機４とを有し、それぞれの住戸親機３には自身のＩＤを記憶するＩＤ記憶部３５が設けられている。集中集合玄関機１の集中集合玄関機制御部１５は、居住者を呼び出すための住戸親機３のＩＤが入力されると、最初にＩＤ確認要求信号を全ての住戸親機３に送信して該当する住戸親機３からの返信を待ち、返信信号を返信した住戸親機３に対して次に呼出信号を送出する。【選択図】  図２
2017130330.tif 000002
【特許請求の範囲】
【請求項１】
複数の棟から成る集合住宅において訪問者が任意の棟の居住者を呼び出すために設置された集中集合玄関機と、前記集中集合玄関機からの呼び出しに居住者が応答するために個々の住戸に設置された住戸親機と、前記集中集合玄関機と前記住戸親機との間の通信を制御する集中制御機とを有する集合住宅インターホンシステムであって、
それぞれの前記住戸親機は自身のＩＤを記憶し、
前記集中集合玄関機は、居住者を呼び出すための前記ＩＤの入力操作が成されると、最初にＩＤ確認要求信号を全ての前記住戸親機に送信して該当する前記住戸親機からの返信を待ち、返信した住戸親機に対して呼出信号を送出して呼び出しを実施する呼出制御部を有することを特徴とする集合住宅インターホンシステム。
【請求項２】
集合住宅の各棟のエントランスには、棟内の居住者を呼び出すための棟集合玄関機が設置されると共に、前記棟集合玄関機と前記住戸親機との間の通信を制御する棟制御機を有し、
前記棟集合玄関機或いは前記棟制御機が、住戸親機の住戸番号と前記ＩＤを関連付けた呼出テーブルを有し、前記棟集合玄関機からは住戸番号の入力による呼び出しを実施できると共に、
前記棟制御機は、前記集中集合玄関機から送出されるＩＤ確認要求信号を監視し、前記棟制御機が管理する棟に該当するＩＤの住戸親機があり、且つ通話路が使用中である場合には、前記集中集合玄関機に対して呼出対象の住戸親機が存在することを通知する通話路監視部を有することを特徴とする請求項１記載の集合住宅インターホンシステム。
【請求項３】
前記棟制御機は、前記集中集合玄関機から送出される呼出信号を監視し、前記棟制御機が管理する棟に呼出先の住戸番号があっても、呼出対象の住戸親機が通話中である場合は、前記集中集合玄関機に対して通話中であることを通知する住戸親機監視部を有し、
通話中とする通知を受けた前記集中集合玄関機の前記呼出制御部は、通話中の報知を実施することを特徴とする請求項２記載の集合住宅インターホンシステム。
【請求項４】
集合住宅の各棟のエントランスには、棟内の居住者を呼び出すための棟集合玄関機が設置されると共に、前記棟集合玄関機と前記住戸親機との間の通信を制御する棟制御機を有し、
前記棟集合玄関機或いは前記棟制御機が、住戸親機の住戸番号と前記ＩＤを関連付けた呼出テーブルを有し、前記棟集合玄関機からは住戸番号の入力による呼び出しを実施できると共に、
前記棟制御機は、前記集中集合玄関機から送出される呼出信号を監視し、前記棟制御機が管理する棟に呼出先の住戸番号があっても、呼出対象の住戸親機が通話中である場合は、前記集中集合玄関機に対して通話中であることを通知する住戸親機監視部を有し、
通話中とする通知を受けた前記集中集合玄関機の前記呼出制御部は、通話中の報知を実施することを特徴とする請求項１記載の集合住宅インターホンシステム。
【発明の詳細な説明】
【技術分野】
【０００１】
本発明は、集合住宅において来訪者が居住者を呼び出して通話を実施できる集合住宅インターホンシステムに関する。
【背景技術】
【０００２】
従来から、複数の棟から成る大規模な集合住宅では、棟毎に設置されて住戸番号を入力して棟内の居住者を呼び出しできる棟集合玄関機に加えて、棟番号から入力することで集合住宅全体の中から棟及び住戸を選択して居住者を呼び出しできる集中集合玄関機を備えた集合住宅インターホンシステムがある（例えば、特許文献１参照）。
【先行技術文献】
【特許文献】
【０００３】
【特許文献１】特開２００７−１３６７１号公報
【発明の概要】
【発明が解決しようとする課題】
【０００４】
上記従来の大規模集合住宅向けのシステムの集中集合玄関機は、棟番号と住戸番号との入力で呼び出しを可能とするために、呼出先の住戸親機が所属する棟の番号、及び住戸番号を記憶しておく必要があった。そのため、複数棟から成る大規模集合住宅では住戸数が多いため記憶すべきデータも多く、記録しておくための大容量のＲＯＭや、大量のデータを短時間で処理するための高性能なＣＰＵが必要であり、単価上昇の原因となっていた。また、普及している中規模向けの集合住宅インターホンシステムで使用しているＣＰＵ、ＲＯＭが使用できなくなるため、流用開発ができなかった。【０００５】
そこで、本発明はこのような問題点に鑑み、複数棟から成る大規模な集合住宅に設置されて、任意の棟の居住者の呼び出しを可能とする集中集合玄関機を設置しても、呼出先の住戸親機が所属する棟の番号や住戸番号を登録することなく呼び出しができる集合住宅インターホンシステムを提供することを目的としている。
【課題を解決するための手段】
【０００６】
上記課題を解決する為に、請求項１の発明は、複数の棟から成る集合住宅において訪問者が任意の棟の居住者を呼び出すために設置された集中集合玄関機と、集中集合玄関機からの呼び出しに居住者が応答するために個々の住戸に設置された住戸親機と、集中集合玄関機と住戸親機との間の通信を制御する集中制御機とを有する集合住宅インターホンシステムであって、それぞれの住戸親機は自身のＩＤを記憶し、集中集合玄関機は、居住者を呼び出すためのＩＤの入力操作が成されると、最初にＩＤ確認要求信号を全ての住戸親機に送信して該当する住戸親機からの返信を待ち、返信した住戸親機に対して呼出信号を送出して呼び出しを実施する呼出制御部を有することを特徴とする。
この構成によれば、集中集合玄関機から住戸親機のＩＤを入力することで訪問先の居住者の呼び出しを実施できるため、集中集合玄関機或いは集中制御機に住戸親機と棟番号及び住戸番号を関連付けた呼出テーブルを備える必要がなくなる。よって、大規模なＲＯＭや高機能なＣＰＵを備える必要が無くなる。【０００７】
請求項２の発明は、請求項１に記載の構成において、集合住宅の各棟のエントランスには、棟内の居住者を呼び出すための棟集合玄関機が設置されると共に、棟集合玄関機と住戸親機との間の通信を制御する棟制御機を有し、棟集合玄関機或いは棟制御機が、住戸親機の住戸番号とＩＤを関連付けた呼出テーブルを有し、棟集合玄関機からは住戸番号の入力による呼び出しを実施できると共に、棟制御機は、集中集合玄関機から送出されるＩＤ確認要求信号を監視し、棟制御機が管理する棟に該当するＩＤの住戸親機があり、且つ通話路が使用中である場合には、集中集合玄関機に対して呼出対象の住戸親機が存在することを通知する通話路監視部を有することを特徴とする。
この構成によれば、ＩＤ確認要求信号が呼出対象の住戸親機に送信できても、空いている通話路が無い場合は、集中集合玄関機に呼出対象の居住者はいるが現在呼び出しできない旨を訪問者に通知することが可能となるため、訪問者は呼び出しできなくても不安にならずに済む。また、棟集合玄関機からは住戸番号を入力する簡易な操作で呼び出しでき、訪問者の利便性が良い。【０００８】
請求項３の発明は、請求項２に記載の構成において、棟制御機は、集中集合玄関機から送出される呼出信号を監視し、棟制御機が管理する棟に呼出先の住戸番号があっても、呼出対象の住戸親機が通話中である場合は、集中集合玄関機に対して通話中であることを通知する住戸親機監視部を有し、通話中とする通知を受けた集中集合玄関機の呼出制御部は、通話中の報知を実施することを特徴とする。
この構成によれば、呼出信号送信先の住戸親機が通話中の場合は、集中集合玄関機はそれを報知するため、訪問者は状況を認識でき不安にならずに済む。【０００９】
請求項４の発明は、請求項１に記載の構成において、集合住宅の各棟のエントランスには、棟内の居住者を呼び出すための棟集合玄関機が設置されると共に、棟集合玄関機と住戸親機との間の通信を制御する棟制御機を有し、棟集合玄関機或いは棟制御機が、住戸親機の住戸番号とＩＤを関連付けた呼出テーブルを有し、棟集合玄関機からは住戸番号の入力による呼び出しを実施できると共に、棟制御機は、集中集合玄関機から送出される呼出信号を監視し、棟制御機が管理する棟に呼出先の住戸番号があっても、呼出対象の住戸親機が通話中である場合は、集中集合玄関機に対して通話中であることを通知する住戸親機監視部を有し、通話中とする通知を受けた集中集合玄関機の呼出制御部は、通話中の報知を実施することを特徴とする。
この構成によれば、呼出信号送信先の住戸親機が通話中の場合は、集中集合玄関機はそれを報知するため、訪問者は状況を認識でき不安にならずに済む。また、棟集合玄関機からは住戸番号を入力する簡易な操作で呼び出しでき、訪問者の利便性が良い。
【発明の効果】
【００１０】
本発明によれば、集中集合玄関機から住戸親機のＩＤを入力することで訪問先の居住者の呼び出しを実施できるため、集中集合玄関機或いは集中制御機に住戸親機と棟番号及び住戸番号を関連付けた呼出テーブルを備える必要がなくなる。よって、大規模なＲＯＭや高機能なＣＰＵを備える必要が無くなる。
【図面の簡単な説明】
【００１１】
【図１】本発明に係る集合住宅インターホンシステムの一例を示す構成図である。
【図２】図１の要部をブロック図で示した構成図である。
【発明を実施するための形態】
【００１２】
以下、本発明を具体化した実施の形態を、図面を参照して詳細に説明する。図１は本発明に係る集合住宅インターホンシステムの一例を示す構成図であり、１は複数棟から成る集合住宅の中央エントランスに設置されて訪問者が任意の棟の居住者を呼び出して通話するための集中集合玄関機、２はそれぞれの棟に設置されて棟内の居住者を呼び出して通話するための棟集合玄関機、３は各住戸に設置されて呼び出しに応答して通話するための住戸親機、４は集中集合玄関機１と住戸親機３の間の通信を制御する集中制御機、５は棟集合玄関機２と住戸親機３の間の通信を制御する棟制御機、６は管理室に設置される集中管理室親機である。また、Ｌ１はＬＡＮ配線を示し、機器同士はＬＡＮ接続されている。
【００１３】
尚、ここでは、棟集合玄関機２を棟内の各フロアに設置した場合を示しているが、棟集合玄関機２は通常棟毎に１つ以上設置される。そして、集中集合玄関機１は中央エントランス等に設置され、集合住宅全体に少なくとも１台設置される。また、この集合住宅インターホンシステムには、エントランスに設置されたオートドアの電気錠、個々の住戸玄関に設置されて居住者を呼出操作する玄関子機、更にエレベータ内に設置された通話機器、共用部に設置された監視カメラ等が接続されているが、それらは省略してある。また、ＬＡＮ配線Ｌ１上の適宜部位にはアクセスコントロールが設置されているが、省略してある。
【００１４】
図２は、図１の主要機器をブロック図で示している。図２に示すように、集中集合玄関機１は呼出先住戸を選択するためのＩＤ情報等を入力する操作部１１、入力番号の表示等を行う表示部１２、図示しないマイク及びスピーカを備えた通話部１３、訪問者を撮像するためのカメラ１４、ＣＰＵを備えて集中集合玄関機１を制御する集中集合玄関機制御部１５、集中制御機４と通信する集中集合玄関機通信ＩＦ１６等を備えている。
【００１５】
棟集合玄関機２は、呼出先住戸を選択するための住戸番号等を入力するための操作部２１、入力番号の表示等を行う表示部２２、図示しないマイク及びスピーカを備えた通話部２３、訪問者を撮像するためのカメラ２４、ＣＰＵを備えて棟集合玄関機２を制御する棟集合玄関機制御部２５、棟制御機５と通信する棟集合玄関機通信ＩＦ２６等を備えている。
【００１６】
集中制御機４は、ＣＰＵを備えて集中集合玄関機１と住戸親機３等との通信を制御する集中制御機制御部４１、集中集合玄関機１、棟制御機５、住戸親機３等と通信する集中制御機通信ＩＦ４２等を備えている。
【００１７】
棟制御機５は、呼出先住戸の住戸親機ＩＤと住戸番号とを関連付けた呼出テーブルを記憶した呼出テーブル記憶部５１、ＣＰＵを備えて棟集合玄関機２と住戸親機３等との通信を制御する棟制御機制御部５２、棟集合玄関機２、住戸親機３、集中制御機４等と通信する棟制御機通信ＩＦ５３等を備えている。
【００１８】
住戸親機３は、図１に示すように呼び出しに応答するためのハンドセット３１、集中集合玄関機１や棟集合玄関機２のカメラ１４，２４の撮像映像を表示するためのモニタ３２、各種設定操作を行う操作部３３、呼び出しを受けて応答するための通話ボタン３４等を備えている。また、図２に示す３５は自身のＩＤを記憶しているＩＤ記憶部を示している。  
【００１９】
上記の如く構成された集合住宅インターホンシステムの動作は以下の様である。最初に集中集合玄関機１が呼出操作された場合を説明する。
集中集合玄関機１からは、個々の住戸親機３において設定されて記憶されているＩＤを入力することで呼び出しが実施される。例えば、ＩＤが棟番号と住戸番号の組み合わせで設定されている場合は、従来の操作と同様に棟番号と住戸番号を入力して呼び出しすることができる。この場合、１号棟の５０１号室を呼び出すとすれば、操作部１１を操作して「１５０１」を入力し、図示しない呼出ボタンが押下されると、呼出操作が実施される。これにより集中集合玄関機制御部１５は、ＩＤ確認要求信号を送出し、集中制御機４、棟制御機５を介して全ての棟の全ての住戸親機３に送信される。
【００２０】
尚、個々の住戸親機３に登録されているＩＤは、住戸番号と関係のない例えばランダムな数字列であっても良い。但しその場合は、訪問者は予め或いは呼出操作時に設定されているＩＤを認識する必要がある。
【００２１】
ＩＤ確認要求信号を受信した各住戸親機３は、ＩＤ記憶部３５が記憶している自身のＩＤ情報と比較して異なるＩＤであれば無視し、一致するＩＤであったら集中集合玄関機１に対して一致する旨を返信する。
この返信信号は棟制御機５、集中制御機４を介して返信され、これを受信した集中集合玄関機１は、集中集合玄関機制御部１５が呼出信号を生成して返信信号送信元の住戸親機３に対して送信する。こうして呼出信号を受信した住戸親機３は呼出音を鳴動するし、集中集合玄関機１は呼出確認音を鳴動する。
【００２２】
この鳴動をうけて、居住者が住戸親機３の通話ボタン３４を押下する応答操作を行うと、住戸親機３と集中集合玄関機１との間で通話路が形成され、訪問者と居住者との間で通話が可能となる。
尚、呼出信号の送信に合わせて、集中集合玄関機制御部１５はカメラ１４を起動させてその撮像映像を住戸親機３に送信し、住戸親機３では送信された映像がモニタ３２に表示される。
【００２３】
但し、ＩＤ確認要求信号及び呼出信号を中継する棟制御機５は、通話路の状況を受けて次のような制御を実施する。集中集合玄関機１から送信されたＩＤ確認要求信号に対して、該当する住戸親機３が返信した際に、他の機器が通話路を使用していることで通話路が埋まっている場合、その住戸親機３を管轄している棟制御機５の棟制御機制御部５２は、住戸親機３からの返信信号を中継せずに対象の住戸親機３が存在することのみを通知する親機認識信号を返信する。
この親機認識信号を受信した集中集合玄関機１は、集中集合玄関機制御部１５の制御により、呼出信号は送出されず、自身も呼出確認音を鳴動しない。代わりに、現在呼び出しできない状況にあることを表示部１２の所定の表示或いはアナウンス等で訪問者に通知する。
【００２４】
また、棟制御機制御部５２は集中集合玄関機１から送出された呼出信号を中継する際に、呼出先の住戸親機３が他の機器と通話中である場合は、呼出信号の中継を停止し、通話中である旨を通知する話中信号を集中集合玄関機１に返信する。
この話中信号を受信した集中集合玄関機制御部１５は、呼出確認音を鳴動せず話中であることを表示部１２の所定の表示或いはアナウンス等で訪問者に通知する。
【００２５】
このように、集中集合玄関機１から住戸親機３のＩＤを入力することで訪問先の居住者の呼び出しを実施できるため、集中集合玄関機１或いは集中制御機４に住戸親機と棟番号及び住戸番号を関連付けた呼出テーブルを備える必要がなくなる。よって、大規模なＲＯＭや高機能なＣＰＵを備える必要が無くなる。
また、ＩＤ確認要求信号が呼出対象の住戸親機３に送信できても、空いている通話路が無い場合は、集中集合玄関機１に呼出対象の居住者は現在呼び出しできない旨を訪問者に通知することが可能となるため、訪問者は呼び出しできなくても不安にならずに済む。
更に、呼出信号送信先の住戸親機３が通話中の場合も、集中集合玄関機１でそれを認識できるため、訪問者は状況を把握でき不安にならずに済む。
【００２６】
次に棟集合玄関機２が呼出操作された場合を説明する。棟制御機５が上述したように呼出テーブル記憶部５１を有するため、棟集合玄関機２は住戸番号を入力して呼出操作でき、従来より行われている操作で呼び出しできる。住戸番号の入力を受けて、棟制御機制御部５２は、呼出テーブルを参照して住戸親機３のＩＤを認識して、該当する住戸親機３に対して呼出信号を送信する。この呼出信号は、棟制御機５を介して住戸親機３に送信され、呼出信号を受信した住戸親機３は呼出音を鳴動する。その後の通話操作は上記集中集合玄関機１との通話路形成と同様である。尚、この場合も、呼出信号の送信に合わせてカメラ２４の撮像映像が送信されてモニタ３２に表示される。
【００２７】
このように、棟集合玄関機２からは住戸番号を入力する従来の呼出操作で呼び出しでき、簡易な操作で呼び出しできる。
【００２８】
尚、上記実施形態では、集中集合玄関機１を中央エントランス等の特定の場所に設置して任意の棟の居住者の呼び出しを可能とする一方で、棟毎には棟集合玄関機２を設置して棟内の呼び出しを可能としているが、棟集合玄関機２を無くして全ての集合玄関機を集中集合玄関機１としても良い。その場合、呼出テーブル記憶部５１は必要無くなる。
また、呼出テーブル記憶部５１を棟制御機５に設けているが、棟集合玄関機２に設けても良い。
【符号の説明】
【００２９】
１・・集中集合玄関機、２・・棟集合玄関機、３・・住戸親機、４・・集中制御機、５・・棟制御機、１１・・操作部、１２・・表示部、１３・・通話部、１５・・集中集合玄関機制御部（呼出制御部）、２５・・棟集合玄関機制御部、３５・・ＩＤ記憶部、５１・・呼出テーブル記憶部、５２・・棟制御機制御部（通話路監視部、住戸親機監視部）。
【図１】
2017130330.tif 000003
【図２】
2017130330.tif 000004
【国際調査報告】
2017130330.tif 000005
2017130330.tif 000006
2017130330.tif 000007
2017130330.tif 000008